(57)【要約】    【課題】      話中であるために別のアクセス方法に切り換えてアクセスし直す際に別の宛先番号の入力操作をユーザに強いることなく相手側が希望する順番でアクセス方法を切り換え可能にすること。    【解決手段】  ＩＰ電話１０１がダイヤル入力された相手電話番号に基づいてＥＮＵＭサーバ１０３から相手のＮＡＰＴＲレコードを取得し、取得したＮＡＰＴＲレコードの中から発信に使用するＮＡＰＴＲレコードを優先順位にしたがって選択する。選択されたＮＡＰＴＲレコードに記述されたアクセス方法及び宛先番号に基づいて相手に発信する。発信相手のＩＰ電話１０２が話中であった場合、次順位のＮＡＰＴＲレコードを選択し、アクセス方法を自動的に切り換えて発信し直す。  【選択図】      図６
2006109087.tif 000002
【特許請求の範囲】
【請求項１】
相手の電話番号を入力するダイヤル手段と、入力された相手電話番号に基づいてＥＮＵＭサーバから相手のＮＡＰＴＲレコードを取得するデータ取得手段と、取得したＮＡＰＴＲレコードの中から発信に使用するＮＡＰＴＲレコードを優先順位にしたがって選択すると共に、発信相手が話中であった場合に次順位のＮＡＰＴＲレコードを選択する制御手段と、前記選択手段で選択されたＮＡＰＴＲレコードに記述されたアクセス方法及び宛先番号に基づいて相手に発信する発信手段と、を具備したＩＰ電話装置。
【請求項２】
発信相手が話中であった場合、相手が話中でありアクセス方法を切り換える旨のメッセージを表示することを特徴とする請求項１記載のＩＰ電話装置。
【請求項３】
ＮＡＰＴＲレコードの優先順位は、ＥＮＵＭサーバに登録したＮＡＰＴＲレコードの登録順であることを特徴とする請求項１又は請求項２記載のＩＰ電話装置。
【請求項４】
ＮＡＰＴＲレコードの優先順位は、ＮＡＰＴＲレコードのＯｒｄｅｒフィールドの数値に基づいて決めることを特徴とする請求項１又は請求項２記載のＩＰ電話装置。
【請求項５】
相手の電話番号を入力するステップと、入力された相手電話番号に基づいてＥＮＵＭサーバから相手のＮＡＰＴＲレコードを取得するステップと、取得したＮＡＰＴＲレコードの中から発信に使用するＮＡＰＴＲレコードを優先順位にしたがって選択し、発信相手が話中であった場合に次順位のＮＡＰＴＲレコードを選択するステップと、前記選択されたＮＡＰＴＲレコードに記述されたアクセス方法及び宛先番号に基づいて相手に発信するステップと、を具備したアクセス方法の切換方法。
【発明の詳細な説明】
【技術分野】
【０００１】
本発明は、ＥＮＵＭ（tElephone NUmber Mapping)を利用したＩＰ電話システムに適用可能なＩＰ電話装置に関する。
【背景技術】
【０００２】
現在、相手と通信網経由で連絡を取る場合、複数のアクセス方法を採ることができるようになってきている。例えば、一般電話機、ＩＰ電話機、ＦＡＸ、電子メール、携帯端末のいずれのアクセス方法によっても相手とコミュニケーションを取ることができる。このことは、１人のユーザが複数の宛先番号（一般電話番号（ＦＡＸ電話番号を含む）、ＩＰ電話番号、電子メールアドレス、携帯電話番号等）を持っていることを意味する。ユーザによっては一人で複数の電話番号、電子メールアドレスを持つ場合もある。そのために、ユーザはアクセス方法に応じた宛先番号を通信端末から入力して相手の通信端末に接続することになる。
【０００３】
このように、一人のユーザが複数の宛先番号を持つ状況下では、相手のＩＰ電話番号に対して発信したところ話中であったとしても、別の宛先番号（例えば一般電話番号）に対してかけ直すことも可能である。
【０００４】
一方、ＩＰ電話機の中には、ＩＰネットワーク経由の音声通話を実現するＩＰ電話機能だけでなく、ＰＳＴＮ網を経由して音声通話を実現する一般電話機能をも搭載するものがある（例えば特許文献１参照）。１台の通信端末で複数のアクセス方法（ＩＰ電話と一般電話）を選択できる。
【特許文献１】特開２００４−２４８０８６号公報
【発明の開示】
【発明が解決しようとする課題】
【０００５】
しかしながら、従来のＩＰ電話装置は、相手のＩＰ電話番号に掛けて話中であった場合には、相手の一般電話番号を調べて掛け直す操作を必要とした。すなわち、複数のアクセス方法を採ることができても、話中であるために別のアクセス方法に切り換えてアクセスし直すためには別の宛先番号を通信端末に入力する作業をユーザに強いる問題があった。
【０００６】
本発明は、以上のような実情に鑑みてなされたものであり、話中であるために別のアクセス方法に切り換えてアクセスし直す際に別の宛先番号の入力操作をユーザに強いることなく相手側が希望する順番でアクセス方法を切り換え可能なＩＰ電話装置を提供することを目的とする。
【課題を解決するための手段】
【０００７】
本発明は、入力された相手電話番号に基づいてＥＮＵＭサーバから相手のＮＡＰＴＲレコードを取得し、取得したＮＡＰＴＲレコードの中から発信に使用するＮＡＰＴＲレコードを優先順位にしたがって選択し、前記選択されたＮＡＰＴＲレコードに記述されたアクセス方法及び宛先番号に基づいて相手に発信する。発信相手が話中であった場合、次順位のＮＡＰＴＲレコードを選択し、アクセス方法を自動的に切り換えて発信し直すものとした。
【発明の効果】
【０００８】
本発明によれば、話中であるために別のアクセス方法に切り換えてアクセスし直す際に別の宛先番号の入力操作をユーザに強いることなく相手側が希望する順番でアクセス方法を切り換え可能なＩＰ電話装置を提供できる。
【発明を実施するための最良の形態】
【０００９】
本発明の第１の態様は、相手の電話番号を入力するダイヤル手段と、入力された相手電話番号に基づいてＥＮＵＭサーバから相手のＮＡＰＴＲレコードを取得するデータ取得手段と、取得したＮＡＰＴＲレコードの中から発信に使用するＮＡＰＴＲレコードを優先順位にしたがって選択すると共に、発信相手が話中であった場合に次順位のＮＡＰＴＲレコードを選択する制御手段と、前記選択手段で選択されたＮＡＰＴＲレコードに記述されたアクセス方法及び宛先番号に基づいて相手に発信する発信手段と、を具備したＩＰ電話装置である。
【００１０】
このように構成されたＩＰ電話装置によれば、発信相手が話中であった場合に次順位のＮＡＰＴＲレコードを選択してアクセス方法及び宛先番号を変更して発信し直すので、別の宛先番号の入力操作をユーザに強いることなく相手側が希望する順番でアクセス方法を切り換え可能である。
【００１１】
以下、本発明の実施の形態について図面を参照して詳細に説明する。
【００１２】
図１は、本発明の一実施の形態に係るＩＰ電話システムが適用されるネットワークの構成を示す図である。
【００１３】
同図に示すように、複数台のＩＰ電話装置（以下、「ＩＰ電話」という）１０１及び１０２、ＥＮＵＭサーバ１０３、ＤＮＳサーバ１０４及びデータベースサーバとしてのＷｅｂサーバ１０５がＩＰ網１０６を介して接続されている。ＩＰ電話１０１及び１０２はＩＰ網１０６経由で通信可能なＩＰ端末の一例である。また、ＩＰ電話１０１はＰＳＴＮ網１０７に接続して一般電話機１０８と音声通話可能に構成されている。
【００１４】
ＩＰ電話１０１（１０２）は、Ｈ．３２３、Ｈ．２４８、ＳＩＰ(Session Initiation Protocol)等の呼制御プロトコルに基づいて他のＩＰ電話とセッションを確立後、ＩＰ網１０６経由で音声通話できる機能を有している。また、ｈｔｔｐプロトコルに従ってＷｅｂサーバ１０５にアクセスし、Ｗｅｂサーバ１０５が提供するＨＴＭＬ文書を閲覧可能なブラウザ機能を有している。
【００１５】
ＥＮＵＭサーバ１０３は、後述するＮＡＰＴＲリソースレコード（以下、「ＮＡＰＴＲレコード」という）を登録するデータベース（ＤＢ）を備える。ＥＮＵＭサーバ１０３のＤＢには、ＩＰ端末のドメイン名毎に当該ＩＰ端末をＩＰ網１０６上で特定する特定番号として１つ又は複数のＵＲＩがＮＡＰＴＲレコードの形式で登録されている。ＥＮＵＭサーバ１０３は、ＩＰ電話１０１（１０２）の問合せ（ＥＮＵＭクエリー）に応じて、かかるＤＢに登録されたＮＡＰＴＲレコードをＩＰ電話１０１（１０２）に返送する。
【００１６】
ＤＮＳサーバ１０４は、ＮＡＰＴＲレコードに指定されるＵＲＩとＩＰアドレスとが対応付けて登録されるＤＢを備える。ＤＮＳサーバ１０４は、ＩＰ電話１０１（１０２）からの問合せに応じて、ＵＲＩに対応したＩＰアドレスをＤＢから取り出してＩＰ電話１０１（１０２）に返送する。
【００１７】
Ｗｅｂサーバ１０５は、ＩＰ網１０６に接続されたＩＰ電話１０１（１０２）の発信者を識別するための情報（以下、「発信者情報」という）が登録されるＤＢを備える。発信者情報には、例えば、発信者の電話番号（以下、「発信者番号」という）、氏名、住所、電子メールアドレス及び顔写真等の画像データが含まれる。発信者情報は、個人の情報に限定されず、法人の名称、電話番号、住所、電子メールアドレス及び宣伝情報を含むようにしてもよい。Ｗｅｂサーバ１０５は、着信を受けたＩＰ電話１０１（１０２）からの要求に応じてＤＢに登録された発信者情報をＩＰ電話１０１（１０２）に返送する。
【００１８】
図２は、本実施の形態に係るＩＰ電話１０１の構成を示すブロック図である。なお、ＩＰ電話１０２についても、ＩＰ電話１０１と同様の構成を有する。
【００１９】
ＩＰ電話１０１は、ＣＰＵ２０１がＲＯＭ２０２に格納したプログラムを読み込んで実行することにより、ＩＰ電話機能、ＦＡＸ機能、電子メール機能を初めとした各種の搭載機能を実現する。ＲＯＭ２０２はＩＰ電話機能、ＦＡＸ機能、電子メール機能等を提供するアプリケーションプログラムを格納する。なお、ＲＡＭ２０３はＣＰＵ２０１の作業エリアとなる。
【００２０】
ＩＰ電話１０１は、音声通話のためのマイク及びスピーカとなる音声入出力部２０４、発信番号及び着信番号を初めとした各種情報を表示する表示部２０５、テンキー、ボタン、ソフトスイッチ等で構成され入力部２０６を備える。また、ＦＡＸとして送信原稿をスキャンする読取部２０７、受信データを印刷する記録部２０８を備える。
【００２１】
ＩＰ電話１０１は、外部Ｉ／Ｆ制御部２０９を介してＰＳＴＮ網１０７並びにＩＰ網１０６に接続可能に構成されている。外部Ｉ／Ｆ制御部２０９は、ＣＰＵ２０１からの制御によりＰＳＴＮ制御部２１１又はネットワーク制御部２１２に接続を切り換える。ＰＳＴＮ制御部２１１はＰＳＴＮ網１０７に対する回線制御を行い、ネットワーク制御部２１２はＩＰ網１０６に対する送受信制御を行う。
【００２２】
ＣＰＵ２０１は、ＥＮＵＭサーバ１０３へ宛先端末に対応するＮＡＰＴＲレコードを問い合わせるＥＮＵＭクエリーの送出やそのＥＮＵＭクエリーに対する応答（ＥＮＵＭ応答）の受信、並びに、ＤＮＳサーバ１０４へＩＰアドレスを問い合わせるＩＰアドレス問合せの送出やそのＩＰアドレス問合せに対する応答（ＩＰアドレス応答）の受信の制御を行う。
【００２３】
表示部２０５は、ＬＣＤ等の液晶ディスプレイで構成される。表示部２０５は、本ＩＰ電話１０１の現在のステータスを表示すると共に、入力された電話番号等を表示する。また、Ｗｅｂサーバ１０５からダウンロードしたＨＴＭＬ文書を表示する。
【００２４】
図３は、本実施の形態に係るＩＰ電話１０１の外観を示す正面図である。なお、ＩＰ電話１０２についても、ＩＰ電話１０１と同様の構成を有する。
【００２５】
同図に示すように、ＩＰ電話１０１は、オペレータの音声を受け付ける受話器３０１を備えている。また、電話番号等を受け付けるテンキー３０２を備えている。さらに、テンキー３０２の右側に留守番電話に切り替える留守キー３０３及び音声を外部出力に切り替えるスピーカキー３０４を備えている。さらに、テンキー３０２の上側にワンタッチで発信可能なワンタッチ機能に代表される各種機能が設定可能なファンクションキー３０５を備えている。さらに、側面部にＩＰ網１０６に接続されるＬＡＮとのインターフェイス（ＬＡＮＩ／Ｆ）３０６を備えている。
【００２６】
ファンクションキー３０５の上側に、液晶ディスプレイ等で構成される表示部２０５が設けられている。表示部２０５は、例えば、Ｗｅｂサーバ１０５からダウンロードした発信者情報（発信者番号や氏名など）が表示される。
【００２７】
図４は、本実施の形態に係るＩＰ電話システムにおけるＥＮＵＭサーバ１０３の代表的な構成を示すブロック図である。なお、ＤＮＳサーバ１０４やＷｅｂサーバ１０５についても、ＤＢに登録されるデータの内容が異なる他は、同様のハードウエア構成を有する。
【００２８】
同図に示すように、ＥＮＵＭサーバ１０３は、サーバ本体の全体を制御するＣＰＵ４０１を備えている。このＣＰＵ４０１にメモリ４０２が接続されている。メモリ４０２は、ＣＰＵ４０１が読み込んで実行する本ＥＮＵＭサーバ１０３の制御プログラムが格納されるＲＯＭとしての機能と、ＣＰＵ４０１が制御プログラムを実行する際のワークメモリとして機能するＲＡＭとしての機能とを備える。
【００２９】
また、ＣＰＵ４０１にデータベース（ＤＢ）４０３が接続されている。ＤＢ４０３は、ＮＡＰＴＲレコードを登録している。ＣＰＵ４０１は、例えば、ＩＰ電話１０１からＥＮＵＭクエリーを受け付けると、ＤＢ４０３から該当するＮＡＰＴＲレコードを検索してＥＮＵＭクエリーを送出してきたＩＰ電話１０１に返送する。
【００３０】
さらに、ＣＰＵ４０１に入出力装置４０４が接続されている。入出力装置４０４は、例えば、キーボード等の入力装置と、ディスプレイ等の出力装置とから構成される。入力装置は、例えば、ＤＢ４０３に登録されるデータの内容を追加、編集する場合に利用される。出力装置は、例えば、ＤＢ４０３に登録されるデータの内容をＥＮＵＭサーバ１０３の管理者等が確認する場合に利用される。
【００３１】
さらに、ＣＰＵ４０１にネットワークインターフェイス（Ｉ／Ｆ）４０５が接続されている。ネットワークＩ／Ｆ４０５は、本ＥＮＵＭサーバ１０３が接続されるＩＰ網１０６とのインターフェイスである。
【００３２】
図５は、本実施の形態に係るＥＮＵＭサーバ１０３のＤＢ４０３に登録されたＮＡＰＴＲレコードの一例を示す図である。同図においては、電話番号「０３１０００００００」及び「０３１００００００１」に対応した各ドメイン名に関して登録されたＮＡＰＴＲレコードを示している。
【００３３】
同図においては、電話番号「０３１０００００００」に対応したドメイン名「０．０．０．０．０．０．０．１．３．１．８．ｅ１６４．ａｒｐａ」に対して「８１３１０００００００＠ｔｏｋｙｏ．ｓｉｐ．ｊｐ」及び「／／ｗｗｗ．ｔｏｋｙｏ．ｓｉｐ．ｃｏｍ／ｕｓｅｒ８１３１０００００００．ｈｔｍｌ」の２つのＵＲＩが登録されている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプトロコルに対応可能である旨を示す「Ｅ２Ｕ＋ｈｔｔｐ」と記述されている。
【００３４】
また、電話番号「０３１００００００１」に対応したドメイン名「１．０．０．０．０．０．０．１．３．１．８．ｅ１６４．ａｒｐａ」に対してＵＲＩ「８１３１００００００１＠ｔｏｋｙｏ．ｍａｉｌ．ｃｏｍ」及び「／／ｗｗｗ．ｔｏｋｙｏ．ｓｉｐ．ｃｏｍ／ｕｓｅｒ８１３１００００００１．ｈｔｍｌ」に２つのＵＲＩが登録されている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプトロコルに対応可能である旨を示す「Ｅ２Ｕ＋ｈｔｔｐ」と記述されている。
【００３５】
次に、本実施の形態に係るＩＰ電話システムにおいて、ＩＰ電話１０１がＩＰ電話１０２に発呼したところ話中であった場合の動作フローについて、図６を参照して説明する。
【００３６】
なお、前提として、ＥＮＵＭサーバ１０３のＤＢ４０３には、相手（ＩＰ電話１０２）の電話番号（ドメイン化電話番号）に関連づけて幾つかのＮＡＰＴＲレコードが登録されているものとする。
【００３７】
図７はＩＰ電話１０２のユーザが自己の電話番号（ドメイン化電話番号）に対応して登録しているＮＡＰＴＲレコードの具体例である。ＩＰ電話１０２のユーザは、自己の電話番号（０４５５４４５×××）に対応させて５つのＮＡＰＴＲレコードを登録している。ＮＡＰＴＲレコードに示されたアクセス方法として、「ｓｉｐ」（１番目）、「一般電話」（２番目）、「電子メール」（３番目）、インターネットＦＡＸ（４番目）が登録されている。本実施の形態では、ＮＡＰＴＲレコードの登録順にアクセス方法を切り換えるものとするが、ＮＡＰＴＲレコードのＯｒｄｅｒフィールドに示す数値の小さい順にアクセス方法を切り換えるようにしても良い。
【００３８】
ＩＰ電話１０１からＩＰ電話１０２に対して発呼する場合、ユーザがＩＰ電話１０１に対してＩＰ電話１０２の一般電話番号（０４５５４４５×××）をダイヤル入力する。ＩＰ電話１０１は、ＩＰ電話１０２の一般電話番号（０４５５４４５×××）がダイヤル入力されると、相手電話番号からドメイン名に変換する。具体的には次の処理を実行する。入力された「０４５５４４５×××」を国番号付きのＥ．１６４番号である「＋８１−４−５５４４５×××」に変換し、先頭の＋と数字を残して「＋８１４５５４４５×××」とする。そして、数字以外の文字を抹消して数字間にドットを挿入して「８．１．４．５．５．４．４．５．×．×．×」とする。次に、数字を逆順にして最後に文字列．ｅ１６４．ａｒｐａを追加する。これにより、ドメイン名である「×．×．×．５．４．４．５．５．４．１．８．ｅ１６４．ａｒｐａ」を得る。
【００３９】
ＩＰ電話１０１は、ダイヤルされた相手電話番号からドメイン名を生成したら、当該ドメイン名にてＮＡＰＴＲレコードを問い合わせるＥＮＵＭクエリーをＥＮＵＭサーバ１０３に対して送出する。
【００４０】
ＥＮＵＭサーバ１０３は、ＩＰ電話１０１から送信されたＥＮＵＭクエリーを受け付ける。そして、ＥＮＵＭクエリーに含まれた問い合わせドメイン名である「×．×．×．５．４．４．５．５．４．１．８．ｅ１６４．ａｒｐａ」に対応するＮＡＰＴＲレコードをＤＢ４０３から検索する。この結果、図７に示すＮＡＰＴＲレコードが検索結果として取得される。ＥＮＵＭサーバ１０３は、当該ＮＡＰＴＲレコードを含むＥＮＵＭ応答をＩＰ電話１０１に返信する。
【００４１】
ＩＰ電話１０１は、ＥＮＵＭサーバ１０３からＥＮＵＭクエリーに対するＥＮＵＭ応答として図７に示すＮＡＰＴＲレコードを取得する。前述したように、相手となるＩＰ電話１０２のＮＡＰＴＲレコードからは「ｓｉｐ」、「一般電話」、「電子メール」、インターネットＦＡＸの４つのアクセス方法が選択可能である。
【００４２】
ＩＰ電話１０１は、相手のＩＰ電話１０２のＮＡＰＴＲレコードから１番目に登録されているアクセス方法である「ｓｉｐ」を選択する。この選択したアクセス方法にてＩＰ電話１０２に対して接続する。具体的には、ＩＰ電話１０１は、１番目のＮＡＰＴＲレコードに記述されたＵＲＩ＝「info@sip.aaaa.com!」のＩＰアドレスをＤＮＳサーバ１０４に問い合わせ、ＩＰ電話１０２のＩＰアドレスを取得する。次に、ＩＰ電話１０２のＩＰアドレスを発信先アドレスとしてＩＮＶＩＴＥリクエストをＩＰ電話１０２に対して送出する。ＩＮＶＩＴＥリクエストはＩＰパケットの形式で送られる。なお、ＳＩＰサーバが仲介して呼接続を行う場合は、ＤＮＳサーバ１０４にＩＰアドレスを問い合わせる処理は必要ない。
【００４３】
相手のＩＰ電話１０２が話中であった場合、ＩＰ電話１０１には話中応答（ビジー）が返される。ＩＰ電話１０１は、相手のＩＰ電話１０２から話中応答（ビジー）が返されたならば、表示部２０５に相手が話中である旨並びにアクセス方法を切り換える旨のメッセージを表示させる。
【００４４】
次に、ＩＰ電話１０１は、相手のＩＰ電話１０２のＮＡＰＴＲレコードから２番目に登録されているアクセス方法である「一般電話」を選択する。相手のＩＰ電話１０２にＰＳＴＮ網経由でアクセスするための電話番号は最初にダイヤル入力された番号である。したがって、ＰＳＴＮ網１０７に対して最初にダイヤル入力された電話番号（０４５５４４５×××）にて発呼する。
【００４５】
ＩＰ電話１０１からＰＳＴＮ網１０７に対して電話番号（０４５５４４５×××）が発信されると、ＰＳＴＮ網１０７経由で「０４５５４４５×××」の電話に着信する。例えば、相手のＩＰ電話１０２が「０４５５４４５×××」であれば、ＰＳＴＮ網１０７経由でＩＰ電話１０２に着信する。また、「０４５５４４５×××」の電話番号をもつ通信端末がＩＰ電話１０２以外であればその電話機に着信することになる。
【００４６】
なお、ＥＮＵＭサーバ１０３に１つのドメイン化電話番号に対応して登録される複数のＮＡＰＴＲレコードには、１台の通信端末が持つ電話番号等だけでなく、そのユーザと連絡を取るために使用可能な複数の通信端末（ＩＰ電話、一般電話、携帯電話、パソコン等）の宛先番号をＵＲＩとして登録することができる。
【００４７】
ＩＰ電話１０１から発信した電話番号「０４５５４４５×××」をもつ通信端末（ＩＰ電話１０２又はそれ以外の通信端末）も話中であった場合、話中応答（ビジー）が返される。ＩＰ電話１０１は、ビジートーンを検出すると、さらに次のアクセス方法に切り換える。先ず、表示部２０５に相手が話中である旨並びにアクセス方法を切り換える旨のメッセージを表示させる。次に、相手のＩＰ電話１０２のＮＡＰＴＲレコードから３番目に登録されているアクセス方法である「電子メール」を選択する。ユーザが表示部２０５に表示されたメッセージに促されて電子メール本文を入力する。電子メール本文の入力は入力部２０６から入力する。電子メールの送信操作を行うと、宛先アドレスに「miyajima.bbbb@jp.aaaa.com!」が設定され、メール本文に先ほど入力したメッセージが記述された電子メールが送信される。
【００４８】
ＩＰ電話１０２のユーザは自己のメールアドレス「miyajima.bbbb@jp.aaaa.com!」に受信した電子メールを見て、ＩＰ電話１０１のユーザから電話があったことを知る。
【００４９】
このように、ＥＮＵＭサーバ１０３に登録したＮＡＰＴＲレコードのＵＲＩを使用して相手にアクセスする場合、相手のＮＡＰＴＲレコード（ＵＲＩ）の登録順に優先順位を持たせておき、あるＵＲＩでアクセスしたところ話中であったならば、ＮＡＰＴＲレコードの中から次の優先順位のＵＲＩにてアクセスするようにしたので、アクセスし直す際に別の宛先番号の入力操作をユーザに強いることなく相手側が希望する順番でアクセス方法を切り換えることができる。
【００５０】
なお、以上の説明では、ＮＡＰＴＲレコード（ＵＲＩ）の登録順を、アクセス方法を切り換える際の優先順位としたが、それ以外にもＯｒｄｅｒフィールドの数字を使用するようにしても良い。
【産業上の利用可能性】
【００５１】
本発明に係るＩＰ電話装置によれば、話中であるために別のアクセス方法に切り換えてアクセスし直す際に別の宛先番号の入力操作をユーザに強いることなく相手側が希望する順番でアクセス方法を切り換え可能である。
【図面の簡単な説明】
【００５２】
【図１】本発明の一実施の形態に係るＩＰ電話システムが適用されるネットワークの構成を示す図
【図２】上記実施の形態に係るＩＰ電話システムを構成するＩＰ電話の構成を示すブロック図
【図３】上記実施の形態に係るＩＰ電話の外観を示す正面図
【図４】上記実施の形態に係るＩＰ電話システムにおけるＥＮＵＭサーバの代表的な構成を示すブロック図
【図５】上記実施の形態に係るＥＮＵＭサーバのＤＢに登録されたＮＡＰＴＲレコードの一例を示す図
【図６】上記実施の形態に係るＩＰ電話、ＥＮＵＭサーバ、相手ＩＰ電話間の処理の流れを示すシーケンス図
【図７】上記実施の形態において相手ＩＰ電話のＮＡＰＴＲレコードの一例を示す図
【符号の説明】
【００５３】
１０１、１０２  ＩＰ電話
１０３  ＥＮＵＭサーバ
１０４  ＤＮＳサーバ
１０５  Ｗｅｂサーバ
１０６  ＩＰ網
１０７  ＰＳＴＮ網
１０８  一般電話機
２０１  ＣＰＵ
２０２  ＲＯＭ
２０３  ＲＡＭ
２０４  音声入出力部
２０５  表示部
２０６  入力部
２０７  読取部
２０８  記録部
２０９  外部Ｉ／Ｆ制御部
２１１  ＰＳＴＮ制御部
２１２  ネットワーク制御部
【図１】
2006109087.tif 000003
【図２】
2006109087.tif 000004
【図３】
2006109087.tif 000005
【図４】
2006109087.tif 000006
【図５】
2006109087.tif 000007
【図６】
2006109087.tif 000008
【図７】
2006109087.tif 000009